(57)【要約】【課題】メニューで所望の設定を行うために要する手間と時間を軽減する。【解決手段】プリンター１０は、実行可能な機能をそれぞれの設定項目で設定するオリジナルメニューのデータを記憶するデータ記憶部３６と、データ記憶部３６に記憶されたデータに基づいてオリジナルメニューを生成しメニュー表示部１２に表示させるメニュー画面生成部３２と、機能の少なくとも１つを指示するカスタムメニュー生成指示部３４と、カスタムメニュー生成指示部３４で指示した機能に応じた設定項目に設定されている設定値を継承しつつ、その機能を実行するためのカスタムメニューを生成し、カスタムメニューのデータをデータ記憶部３６に記憶させる生成部と、を備え、メニュー画面生成部３２は、カスタムメニューのデータが記憶されていること判定した場合、カスタムメニューのデータに基づいてカスタムメニューを生成しメニュー表示部１２に表示させる。【選択図】図２
2012208890.tif 000002
【特許請求の範囲】
【請求項１】
所定の機能に関する設定手段を表示部に表示し、前記設定手段の設定に応じて前記所定の機能を実行する情報処理装置であって、
実行可能な機能を設定項目で設定する第１の設定手段に関する第１のデータを記憶する記憶部と、
前記記憶部に記憶された前記第１のデータに基づいて前記第１の設定手段を生成し、生成した前記第１の設定手段を前記表示部に表示させる表示制御部と、
前記第１の設定手段が含む前記機能の少なくとも１つを指示する指示部と、
前記指示部で指示した前記機能に応じた前記設定項目に設定されている設定値を継承しつつ、前記機能を実行するための第２の設定手段を生成し、前記第２の設定手段に関する第２のデータを前記記憶部に記憶させる生成部と、を備え、
前記表示制御部は、前記記憶部に前記第２のデータが記憶されているか、否かを判定し、前記記憶部に前記第２のデータが記憶されていると判定した場合、前記第２のデータに基づいて前記第２の設定手段を生成し、生成した前記第２の設定手段を前記表示部に表示させることを特徴とする情報処理装置。
【請求項２】
請求項１に記載の情報処理装置において、
前記表示制御部は、起動時に前記記憶部に前記第２のデータが記憶されているか、否かを判定し、前記第２のデータが前記記憶部に記憶されていないと判定した場合、第１の設定手段を表示可能な第１のホーム画面を前記表示部に表示させ、前記第２のデータが前記記憶部に記憶されていると判定した場合、第２の設定手段を表示可能な第２のホーム画面を前記表示部に表示させることを特徴とする情報処理装置。
【請求項３】
請求項１乃至２のいずれかに記載の情報処理装置において、
前記第２の設定手段は、前記指示部が複数の前記機能を指示した場合、複数の前記機能を統合して実行を指示することを特徴とする情報処理装置。
【発明の詳細な説明】
【技術分野】
【０００１】
本発明は、情報処理装置に関する。
【背景技術】
【０００２】
近年、プリンター装置やコピー装置のように、操作部にタッチパネルを採用し、このタッチパネルに表示されるメニュー等の設定手段をユーザーが指示することで、所望の機能を実行できるような情報処理装置が提供されている。
通常、タッチパネルに表示される設定手段の設定項目は情報処理装置の製造段階で決定され、決定された仕様に基づいて設定手段が作成され、製品に実装されるが、下記特許文献１に示すように、ユーザーの指示による機能の実行回数を計数し、計数した結果に応じて、該当する機能の設定項目を設定手段内で再配置する印刷装置が提案されている。
【先行技術文献】
【特許文献】
【０００３】
【特許文献１】特開平９−１０４１５１号公報
【発明の概要】
【発明が解決しようとする課題】
【０００４】
しかしながら、機能の設定項目は設定手段内で再配置されるが、その際、設定手段で設定していた設定値は継承されないため、複雑な設定を行う場合には、再配置された設定手段で所望の設定値を最初から設定する必要があり、所望の設定を行うのに手間と時間を要した。
そこで本発明は、前記課題に鑑みてなされたものであり、設定手段で所望の設定を行うために要する手間と時間を軽減することを目的とする。
【課題を解決するための手段】
【０００５】
本発明は、上述の課題の少なくとも一部を解決するためになされたものであり、以下の形態又は適用例として実現することが可能である。
【０００６】
［適用例１］
本適用例にかかる情報処理装置は、所定の機能に関する設定手段を表示部に表示し、前記設定手段の設定に応じて前記所定の機能を実行する情報処理装置であって、実行可能な機能を設定項目で設定する第１の設定手段に関する第１のデータを記憶する記憶部と、前記記憶部に記憶された前記第１のデータに基づいて前記第１の設定手段を生成し、生成した前記第１の設定手段を前記表示部に表示させる表示制御部と、前記第１の設定手段が含む前記機能の少なくとも１つを指示する指示部と、前記指示部で指示した前記機能に応じた前記設定項目に設定されている設定値を継承しつつ、前記機能を実行するための第２の設定手段を生成し、前記第２の設定手段に関する第２のデータを前記記憶部に記憶させる生成部と、を備え、前記表示制御部は、前記記憶部に前記第２のデータが記憶されているか、否かを判定し、前記記憶部に前記第２のデータが記憶されていると判定した場合、前記第２のデータに基づいて前記第２の設定手段を生成し、生成した前記第２の設定手段を前記表示部に表示させることを特徴とする。
【０００７】
このような構成によれば、記憶部に記憶されている第１のデータに基づいて第１の設定手段が生成されて表示部に表示され、表示された第１の設定手段における設定可能な機能の中から少なくとも１つの機能が指示された場合、指示された機能に応じた設定項目に設定されている設定値を継承しつつ、その機能を実行するための第２の設定手段が生成され、生成された第２の設定手段は表示部に表示される。従って、第２の設定手段における設定項目は、第１の設定手段で設定されている設定値が継承されているため、所望の機能を第１の設定手段で設定した設定値で容易かつ迅速に実行させることができる。
【０００８】
［適用例２］
上記適用例にかかる情報処理装置において、前記表示制御部は、起動時に前記記憶部に前記第２のデータが記憶されているか、否かを判定し、前記第２のデータが前記記憶部に記憶されていないと判定した場合、第１の設定手段を表示可能な第１のホーム画面を前記表示部に表示させ、前記第２のデータが前記記憶部に記憶されていると判定した場合、第２の設定手段を表示可能な第２のホーム画面を前記表示部に表示させることが好ましい。
【０００９】
このような構成によれば、情報処理装置の起動時に、第２の設定手段に関する第２のデータが記憶部に記憶されていない場合、表示部には第１の設定手段を表示可能な第１のホーム画面を表示させ、第２の設定手段に関する第２のデータが記憶部に記憶されている場合、表示部には第２の設定手段を表示可能な第２のホーム画面を表示させることができる。
【００１０】
［適用例３］
上記適用例にかかる情報処理装置において、前記第２の設定手段は、前記指示部が複数の前記機能を指示した場合、複数の前記機能を統合して実行を指示することが好ましい。
【００１１】
このような構成によれば、第２の設定手段は、複数の機能を統合して実行させることができる。
【図面の簡単な説明】
【００１２】
【図１】本発明の実施形態に係るプリンターの機能構成を示すブロック図。
【図２】カスタムメニュー作成部の機能構成を示す図。
【図３】オリジナルメニューとカスタムメニューを説明する図。
【発明を実施するための形態】
【００１３】
以下、画像を用紙に転写して出力する情報処理装置としてのプリンターについて図面を参照して説明する。
【００１４】
（実施形態）
図１は、プリンター１０の機能構成を示すブロック図である。このプリンター１０は、印刷機能に加え、スキャナー機能やコピー機能を備え、単体でこれらの機能を実行可能な複合型の印刷装置である。
このプリンター１０は、メニュー表示部１２、操作指示部１４、通信部１６、画像データ入力部１８、印刷部２０、スキャナー部２２および制御部２４を備える。
メニュー表示部１２は、ユーザーが指示することで設定可能な設定手段（メニュー）をプリンター１０に設置されたタッチパネルの液晶表示装置に表示する。また、操作指示部１４は、ユーザーにより操作指示される。本実施形態では、プリンター１０に設置された操作ボタンや、タッチパネルに組み込まれたタッチパッドを想定する。
【００１５】
通信部１６は、ＬＡＮ（Ｌｏｃａｌ  Ａｒｅａ  Ｎｅｔｗｏｒｋ）に接続し、ＬＡＮを介して外部のコンピューターとの間でデータ等を授受する。
画像データ入力部１８は、フラッシュメモリー等を含むメモリーカードや、ディスクメディア等を介して写真等の画像データが入力される。
【００１６】
印刷部２０は印刷エンジンを備え、印刷イメージを印刷用紙に転写して排出する。印刷方式はインクジェット方式を採用するが、これに限定されるものではない。スキャナー部２２はイメージスキャナーを想定し、原稿台にセットされた原稿を走査して光学的に読み取り、原稿のデジタルデータを生成して出力する。本実施形態では、フラットベット方式を採用するが、これに限定されるものではない。
制御部２４は、上述した各機能部の動作を制御する。また、制御部２４は、ユーザーが所望する機能を設定可能に表示するメニューを作成するためのメニュー作成部３０を備える。本実施形態では、制御部２４は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）およびフラッシュメモリー等のハードウェアと、ＲＡＭ、ＲＯＭおよびフラッシュメモリー等に記憶されたソフトウェアと、が協働することで機能を実現する。
【００１７】
図２は、メニュー作成部３０の機能構成を示す図である。また、図３は、オリジナルメニュー（第１の設定手段）とカスタムメニュー（第２の設定手段）を説明する図であり、図３も適宜参照して説明する。
メニュー作成部３０は、メニュー画面生成部３２、カスタムメニュー生成指示部３４、カスタムメニュー生成部３５およびデータ記憶部３６を備える。また、データ記憶部３６は、オリジナルメニューに関するデータ（第１のデータ）を記憶するオリジナルメニューデータ記憶部３８と、カスタムメニューに関するデータ（第２のデータ）を記憶するカスタムメニューデータ記憶部４０を備える。
【００１８】
メニュー画面生成部３２は、データ記憶部３６に記憶されたメニューのデータに基づいて、メニュー表示部１２に表示するためのメニュー画面を生成し、生成したメニュー画面をメニュー表示部１２に表示させる（表示制御部）。尚、本実施形態では、メニュー画面は階層構造に構成され、メニュー表示部１２に表示された所定のメニュー画面（親画面）で所定の機能を選択した場合、メニュー画面（親画面）に替えてメニュー表示部１２に表示されるメニュー画面（子画面）で選択した機能の詳細を設定する。
本実施形態では、メニュー画面生成部３２は、プリンター１０が起動する際、制御部２４からの指示に基づき、カスタムメニューデータ記憶部４０にカスタムメニューのデータが記憶されているか、否かを判定する。ここで、カスタムメニューのデータが記憶されていない状態の場合、メニュー画面生成部３２は、予めＲＯＭ等に記憶されたオリジナルメニューのホーム画面（第１のホーム画面）５０Ａをメニュー表示部１２に表示させる（図３参照）。
ここで、ユーザーが写真の印刷を所望する場合、ユーザーは、オリジナルメニューのホーム画面５０Ａの写真の印刷ボタン５２を押下する。メニュー画面生成部３２は、印刷ボタン５２の押下を受けて、オリジナルメニューデータ記憶部３８に記憶されたメニューのデータに基づいて、オリジナルメニューであるプリント設定メニュー画面（６０Ａ，６０Ｂ）を生成し、メニュー表示部１２に表示する。プリント設定メニュー画面（６０Ａ，６０Ｂ）は、実行可能な複数の機能をそれぞれの設定項目で設定することができる。尚、オリジナルメニューの詳細な設定項目は、プリンター１０の工場出荷時に決定され、メニューのデータはファームウェアとしてＲＯＭ等に記憶されている。
【００１９】
ここで、ユーザーがＬ版写真印刷の設定を行いたい場合には、ユーザーはプリント設定メニュー画面６０Ａのような設定を行う。また、ユーザーが光沢はがきに写真印刷を行いたい場合には、ユーザーはプリント設定メニュー画面６０Ｂのような設定を行う。何れの場合も、決定ボタン６４を押下することにより、メニュー表示部１２に表示されるメニューは、写真選択工程や枚数選択工程のメニュー画面（図示は略す。）に遷移する。写真選択工程や枚数選択工程で印刷する写真や印刷枚数がユーザーにより決定された後、ユーザーが指定した写真は印刷部２０で印刷される。
【００２０】
カスタムメニュー生成指示部３４は、ユーザーによりカスタムメニューの生成が指示される（指示部）。本実施形態では、ユーザーは、プリント設定メニュー画面（６０Ａ，６０Ｂ）に含まれる機能のうち、カスタムメニューを生成する機能の設定項目を少なくとも１つ選択し、カスタムメニューボタン６２を押下することで、カスタムメニューの生成を指示できる。
カスタムメニュー生成部３５は、カスタムメニュー生成指示部３４でカスタムメニューの生成が指示された場合、指示された機能に関して、その時点でメニュー表示部１２に表示されている設定項目の設定値を継承しつつ、カスタムメニューを生成し、生成したカスタムメニューをカスタムメニューデータ記憶部４０に記憶させる（生成部）。また、ユーザーが複数の機能を指示した場合、対応する複数の設定項目を統合したカスタムメニューを生成する。
尚、カスタムメニューの生成は、ユーザーが生成する可能性のあるカスタムメニューの情報をデータ記憶部３６に予め記憶しておき、必要に応じて読み出して生成しても良く、また、ユーザーが所望するカスタムメニューの要求情報を通信部１６から外部のウェブサイトに送信し、要求情報に応じてウェブサイトが作成して応答するファームウェアを受信し、プリンター１０の既存のファームウェアと置き換えても良い。
【００２１】
例えば、プリント設定メニュー画面６０Ａの場合には、用紙サイズは複数の選択可能な設定項目の中から「Ｌ判」が選択されており、用紙種類は複数の選択可能な設定項目の中から「写真用紙」が選択されている。従って、カスタムメニューは、これらの複数の設定項目が統合され、用紙サイズが「Ｌ判」および用紙種類が「写真用紙」となるように生成される。生成されたカスタムメニューのデータは、カスタムメニューデータ記憶部４０に記憶される。
また、同様に、プリント設定メニュー画面６０Ｂの場合には、カスタムメニューは、用紙サイズが「はがき」、用紙種類が「郵便光沢はがき」および印刷品質が「きれい」となるように生成され、生成されたカスタムメニューはカスタムメニューデータ記憶部４０に記憶される。尚、本実施形態では、リストボックスに表示される複数の選択肢の中から１つを選ぶ設定項目を採用したが、これには限定されず、数値やテキスト情報を直接に入力する設定項目であってもよい。この場合、カスタムメニューのデータは入力された数値やテキスト情報を含みカスタムメニューデータ記憶部４０に記憶される。
尚、カスタムメニューのボタンに表示される「Ｌ判写真印刷」等の表題は、ユーザーが設定しても良く、制御部２４が自動設定しても良い。
【００２２】
また、メニュー画面生成部３２は、カスタムメニューデータ記憶部４０にカスタムメニューのデータが記憶されているか、否かを判定した際、カスタムメニューのデータが記憶されていると判定した場合、オリジナルメニューのホーム画面５０Ａの所定位置にカスタムメニュー遷移ボタン５４を配置したカスタムメニューのホーム画面５０Ｂ（第２のホーム画面）を生成し、メニュー表示部１２に表示させる（図３参照）。
【００２３】
ここで、ユーザーが写真の印刷設定をカスタムメニューから選択したい場合、ユーザーは、メニュー表示部１２に表示されたカスタムメニューのホーム画面５０Ｂのカスタムメニュー遷移ボタン５４を押下する。
この結果、メニュー画面生成部３２は、カスタムメニューデータ記憶部４０に記憶されているカスタムメニューのデータを読み込み、読み込んだデータに基づいて、カスタムメニュー画面７０を生成し、メニュー表示部１２に表示させる。本実施形態では、カスタムメニュー画面７０には、ユーザーがカスタムメニュー生成指示部３４で生成指示したＬ判写真印刷ボタン７２と光沢はがき写真印刷ボタン７４の２個のボタンが選択可能に表示されるが、生成可能な個数には限定されない。
ここで、ユーザーがＬ版写真印刷を行いたい場合、ユーザーはＬ判写真印刷ボタン７２を押下する。この結果、制御部２４は、用紙サイズが「Ｌ判」であり、用紙種類が「写真用紙」として印刷するための設定を行う。
【００２４】
また、ユーザーが光沢はがきに写真印刷を行いたい場合には、ユーザーは光沢はがき写真印刷ボタン７４を押下する。この結果、制御部２４は、用紙サイズが「はがき」であり、用紙種類が「郵便光沢はがき」であり、印刷品質が「きれい」として印刷するための設定を行う。
尚、Ｌ判写真印刷ボタン７２または光沢はがき写真印刷ボタン７４の何れかがユーザーにより押下された場合、メニュー表示部１２に表示されるメニューは、写真選択工程や枚数選択工程のメニュー画面（図示は略す。）に遷移する。続いて、写真選択工程や枚数選択工程で印刷する写真や印刷枚数がユーザーにより決定された後、ユーザーが指定した写真は印刷部２０で印刷される。
【００２５】
以上述べた実施形態によれば、以下のような効果を奏する。
（１）ユーザーは、プリンター１０での所望の印刷設定をカスタムメニューとして設定して表示できるため、所望の印刷設定を容易かつ迅速に行うことができる。
（２）ユーザーは、所定の印刷設定に紐付けされたカスタムメニューを選択することで、所定の印刷設定に基づく印刷を容易かつ迅速に行うことができる。
【００２６】
本発明の実施形態について、図面を参照して説明したが、具体的な構成は、この実施形態に限られるものではなく、本発明の要旨を逸脱しない範囲の設計変更等も含まれる。例えば、カスタムメニューの設定はプリンター１０に限定されるものではなく、スキャナー装置やファクシミリ装置等の情報処理装置に対しても適用できる。
また、以上のような手法を実施する装置は、単独の装置によって実現される場合もあれば、複数の装置を組み合わせることによって実現される場合もあり、各種の態様を含むものである。
【符号の説明】
【００２７】
１０…プリンター、１２…メニュー表示部、１４…操作指示部、１６…通信部、１８…画像データ入力部、２０…印刷部、２２…スキャナー部、２４…制御部、３０…メニュー作成部、３２…メニュー画面生成部、３４…カスタムメニュー生成指示部、３５…カスタムメニュー生成部、３６…データ記憶部、３８…オリジナルメニューデータ記憶部、４０…カスタムメニューデータ記憶部、５０Ａ…オリジナルメニューのホーム画面、５０Ｂ…カスタムメニューのホーム画面、５２…写真の印刷ボタン、５４…カスタムメニュー遷移ボタン、６０Ａ，６０Ｂ…プリント設定メニュー画面、６２…カスタムメニューボタン、６４…決定ボタン、７０…カスタムメニュー画面、７２…Ｌ判写真印刷ボタン、７４…写真印刷ボタン。
【図１】
2012208890.tif 000003
【図２】
2012208890.tif 000004
【図３】
2012208890.tif 000005